(57)【要約】【課題】検知部の異常を検出しながらも、本来必要な既設部品やその通常の電源供給状態を利用する等により、部品点数をできるだけ増やすことなく、装置構成の簡素化、コンパクト化を実現し得る遊技機を提供する。【解決手段】フォトインタラプタ５８が、遮光板の動作に伴い状態を変化させることに基づき、第１状態では遮光板の通常位置を、第２状態では遮光板の移動位置を夫々検知する。異常検知回路６１Ａは、ハーネスＨによる接続状態が正常である際、フォトインタラプタに電源供給を行いつつ、フォトインタラプタが第１状態のときは出力端子に第１信号を出力し、第２状態のときは第２信号を出力する。ハーネスの接続状態が異常である場合は、フォトインタラプタに電源供給を行わない状態で出力端子に第２信号を出力する。このため、異常時には第２状態と同じ第２信号を出力でき、不正行為を容易に検知できる。【選択図】図５
2010167046.tif 000002
【特許請求の範囲】
【請求項１】
所定部材の動作を検知する検知部と、該検知部と電気的接続ケーブルを介して接続されて該検知部の異常を検出し得る異常検知回路と、を備える遊技機において、
前記検知部は、通常状態にて常時電源を供給されて待機しつつ、前記所定部材の動作に伴って第１状態と第２状態とに変化することに基づき、前記第１状態にあっては前記所定部材が通常位置にある旨を検知し、かつ前記第２状態にあっては前記所定部材が移動位置にある旨を検知してなり、かつ、
前記異常検知回路は、
前記電気的接続ケーブルによる接続状態が正常である場合には、前記検知部に電源供給を行いつつ、該検知部が前記第１状態のときは出力端子に第１信号を出力し、かつ前記検知部が前記第２状態のときは前記出力端子に第２信号を出力し、更に、前記電気的接続ケーブルによる接続状態が異常である場合には、前記検知部に電源供給を行わない状態にて前記出力端子に前記第２信号を出力してなる、
ことを特徴とする遊技機。
【請求項２】
前記異常検知回路から出力される前記第１信号及び前記第２信号の何れかを受信し、前記所定部材を動作させる駆動信号の出力の有無と併せて判断して、異常が発生したと判断した際には報知信号を出力する異常検出手段と、
該異常検出手段から出力された前記報知信号に応答して異常発生の報知を行う報知手段と、を更に備え、
前記異常検出手段は、前記駆動信号が出力されない状態で前記第２信号が出力された場合に異常が発生したと判断し、前記報知手段に前記報知信号を送ってなる、
請求項１記載の遊技機。
【請求項３】
前記出力端子は、
前記電気的接続ケーブルによる接続状態の異常に起因する検知結果を出力する第１出力端子と、
前記検知部の前記第１状態及び前記第２状態に起因する検知結果を出力する第２出力端子と、を備えてなる、
請求項１記載の遊技機。
【発明の詳細な説明】
【技術分野】
【０００１】
本発明は、パチンコ機等の遊技機に係り、詳しくは、断線等の異常状態を検知し得るように構成された遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（特許文献１参照）。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時には、アタッカーと呼ばれる大入賞口が開放し、入球に対応して多量の遊技球が払い出される遊技者に有利な遊技状態となる。
【０００４】
上述したようなアタッカーを備えるパチンコ機では、例えば、アタッカー作動用のソレノイドを制御部に接続する電気的接続ケーブル（所謂ハーネス）を切断したり、該ハーネスのコネクタソケットを抜いたりした状態で、治具等によりアタッカーを不正に開放して不正入賞させて多量の賞球を払い出させるような不正行為（所謂ゴト）が多発している。
【０００５】
このような不正行為を防止するため、遊技機におけるスイッチング装置の電気的接続状態の異常を検出する様々な装置や方法が提案されている（例えば特許文献２参照）。該特許文献２記載の技術では、センサ、スイッチ等のスイッチング装置から出力され、信号線を介して検出された検出電圧を所定の基準電圧と比較するコンパレータを備え、該コンパレータによる検出電圧が、基準電圧に比して高レベルか低レベルかを判定することで、遊技部材の状況変化を検出できるようにし、該検出電圧を上限電圧及び下限電圧と比較して、該検出電圧が常に所定の電圧レベル領域内にあることを監視する電圧レベル監視用コンパレータを備える。
【先行技術文献】
【特許文献】
【０００６】
【特許文献１】特開２００３−２３６２１０号公報
【特許文献２】特開２００３−３２５９３０号公報
【発明の概要】
【発明が解決しようとする課題】
【０００７】
しかし、上記特許文献２記載の技術によると、遊技媒体、開閉扉等の遊技部材の状況変化を検知するスイッチング装置が設けられた遊技機にあって、該スイッチング装置の信号線の短絡や断線等の異常を検出することで故障や不正行為に対処することは可能になるものの、信号線を介して検出された検出電圧を所定の基準電圧と比較するコンパレータと、該検出電圧が常に所定の電圧レベル領域内にあることを監視する異常検知回路としての電圧レベル監視用コンパレータとを複数備えなければならず、オペアンプ(Operational  Amplifier)からなる高価なコンパレータを複数備えるなど、部品点数が多く、装置構成が複雑になってコンパクト化が損なわれる等の虞があった。
【０００８】
そこで本発明は、スイッチング装置等のような検知部の異常を検出し得るものでありながら、本来必要な既設部品やその通常の電源供給状態を利用する等により、部品点数をできるだけ増やすことなく、装置構成を可及的に簡素にしてコンパクト化を実現し得るように構成した遊技機を提供することを目的する。
【課題を解決するための手段】
【０００９】
請求項１に係る本発明は（例えば図１ないし図９参照）、所定部材（５７）の動作を検知する検知部（５８）と、該検知部（５８）と電気的接続ケーブル（H）を介して接続されて該検知部（５８）の異常を検出し得る異常検知回路（６１，６１Ａ，６１Ｂ，６１Ｃ）と、を備える遊技機（１）において、
前記検知部（５８）は、通常状態にて常時電源を供給されて待機しつつ、前記所定部材（５７）の動作に伴って第１状態（例えば遮光状態）と第２状態（例えば受光状態）とに変化することに基づき、前記第１状態にあっては前記所定部材（５７）が通常位置（例えば閉止位置）にある旨を検知し、かつ前記第２状態にあっては前記所定部材（５７）が移動位置（例えば開放位置）にある旨を検知してなり、かつ、
前記異常検知回路（６１，６１Ａ，６１Ｂ，６１Ｃ）は、
前記電気的接続ケーブル（H）による接続状態が正常である場合には、前記検知部（５８）に電源供給を行いつつ、該検知部（５８）が前記第１状態（例えば遮光状態）のときは出力端子（OUT、OUT1,2のうちの例えばOUT2）に第１信号（例えば１（HIGH））を出力し、かつ前記検知部（５８）が前記第２状態（例えば受光状態）のときは前記出力端子（OUT，OUT2）に第２信号（例えば０（LOW））を出力し、更に、前記電気的接続ケーブル（H）による接続状態が異常である場合には、前記検知部（５８）に電源供給を行わない状態にて前記出力端子（OUT、OUT1,2のうちの例えばOUT1）に前記第２信号（例えば０（LOW））を出力してなる、
ことを特徴とする遊技機（１）にある。
【００１０】
請求項２に係る本発明は（例えば図４参照）、前記異常検知回路（６１，６１Ａ，６１Ｂ，６１Ｃ）から出力される前記第１信号（例えば１（HIGH））及び前記第２信号（例えば０（LOW））の何れかを受信し、前記所定部材（５７）を動作させる駆動信号の出力の有無と併せて判断して、異常が発生したと判断した際には報知信号を出力する異常検出手段（９３）と、
該異常検出手段（９３）から出力された前記報知信号に応答して異常発生の報知を行う報知手段（８，１１，１２）と、を更に備え、
前記異常検出手段（９３）は、前記駆動信号が出力されない状態で前記第２信号が出力された場合に異常が発生したと判断し、前記報知手段（８，１１，１２）に前記報知信号を送ってなる、
請求項１記載の遊技機（１）にある。
【００１１】
請求項３に係る本発明は（例えば図７参照）、前記出力端子は、
前記電気的接続ケーブル（H）による接続状態の異常（例えば断線）に起因する検知結果を出力する第１出力端子（OUT1）と、
前記検知部（５８）の前記第１状態（例えば遮光状態）及び前記第２状態（例えば受光状態）に起因する検知結果を出力する第２出力端子（OUT2）と、を備えてなる、
請求項１記載の遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、検知部が、通常状態にて常時電源を供給されて待機しつつ、所定部材の動作に伴って第１状態と第２状態とに変化することに基づき、第１状態にあっては所定部材が通常位置にある旨を検知し、かつ第２状態にあっては所定部材が移動位置にある旨を検知し、異常検知回路が、電気的接続ケーブルによる接続状態が正常である場合には、検知部に電源供給を行いつつ、該検知部が第１状態のときは出力端子に第１信号を出力し、かつ検知部が第２状態のときは出力端子に第２信号を出力し、更に、電気的接続ケーブルによる接続状態が異常である場合には、検知部に電源供給を行わない状態にて出力端子に第２信号を出力するので、検知部の異常を検出し得るものでありながら、本来必要な既設部品やその通常時の電源供給を利用することにより、部品点数を増大させず、装置構成を可及的に簡素にしてコンパクト化を実現することが可能になる。
【００１４】
請求項２に係る本発明によると、異常検出手段が、異常検知回路から出力される第１信号及び第２信号の何れかを受信し、所定部材を動作させる駆動信号の出力の有無と併せて判断して、異常が発生したと判断した際には報知信号を出力し、かつ駆動信号が出力されない状態で第２の信号が出力された場合に異常が発生したと判断し、報知手段に報知信号を送るので、電気的接続ケーブルによる接続状態の異常を、より一層確実に判定できると共に、異常が発生した旨を報知手段を介して周囲に報知することができる。これにより、不正行為者（所謂ゴト師）を牽制して、不正行為を抑止することが可能になる。
【００１５】
請求項３に係る本発明によると、出力端子が、電気的接続ケーブルによる接続状態の異常に起因する検知結果を出力する第１出力端子と、検知部の第１状態及び第２状態に起因する検知結果を出力する第２出力端子とを備えるので、簡単な回路構成により、電気的接続ケーブルによる接続状態の異常を、より一層確実に判定することができる。
【図面の簡単な説明】
【００１６】
【図１】本発明に係るパチンコ機の外部構造を示す正面図である。
【図２】本パチンコ機の背面構造を示す背面図である。
【図３】アタッカー及びその周辺部を縦断面した断面図であり、（ａ）は蓋体の閉止状態を示し、（ｂ）は蓋体の開放状態を示している。
【図４】本パチンコ機の制御系を示すブロック図である。
【図５】本発明に係る実施の形態における回路構成を示す回路図である。
【図６】変形例１における回路構成を示す回路図である。
【図７】変形例２における回路構成を示す回路図である。
【図８】本パチンコ機による作用を説明するためのフローチャートである。
【図９】本実施の形態の基礎となる技術を示す回路図である。
【発明を実施するための形態】
【００１７】
以下、本発明に係る遊技機の実施形態として、遊技場等に設置されるパチンコ機を図面に沿って説明する。なお、本実施の形態では、本発明に係る遊技機を所謂１種のパチンコ機として述べるが、本発明はこれに限らず、所謂１種１種や１種２種、所謂２種や３種のパチンコ機など他の種別のパチンコ機にも適用し得ることは勿論であり、また、パチンコ機に限らず、スロットマシンなど他の遊技機にも適用することも可能である。
【００１８】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１９】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカ（図示せず）を有する放音装置１２が夫々に配設されている。そして、前扉７の上部における両放音装置１２，１２の間には、演出用照明装置８が配設されている。なお、筐体６及び前扉７等により遊技機本体が構成されている。
【００２０】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技盤３側に案内するガイドレールを示している。本パチンコ機１には、遊技中に遊技領域３ａにて入賞することなく落下してアウト口（図示せず）に進入した遊技球をパチンコ機背面側に導くアウト球通路（図示せず）が設けられている。
【００２１】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及び返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００２２】
また、前扉７における皿ユニット１６の下部右方には、上記球発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂが夫々配設されている。
【００２３】
遊技領域３ａの中央部分には、ステージＳを有するセンター飾り２３が配設されている。センター飾り２３の下部左右には、大当たり抽選に寄与しない一般の入賞が行われる入賞口２５，２６が配設されており、センター飾り２３の下方には、始動チャッカー２７と、アタッカー５とが順次配設されている。
【００２４】
始動チャッカー２７は、大当たり抽選実行の契機となり得る入賞が行われるものであり、開放位置と閉止位置とに開閉動作するように始動チャッカー開閉ソレノイド６９（図４参照）によって作動させられる。始動チャッカー２７の直上方には、所謂命釘としての一対の障害釘３０が打ち込まれている。
【００２５】
アタッカー５は、大当たり発生時に開放され、遊技盤３の遊技領域３ａに打ち出されて転動落下する遊技球を入賞させるものであり、大当たり発生中、例えば、１回の開放で９個の入球を完了した時点で閉じ、当該開閉動作を１５回（つまり、１５ラウンド）繰り返すように構成される。なお、これらの入球数並びに開閉動作の回数は、９個や１５回に限定されることはなく、必要に応じて適宜設定され得るものである。
【００２６】
遊技領域３ａには、センター飾り２３の四方に風車３１が夫々配設されており、ステージＳの下方における始動チャッカー２７の左側には、スルーゲート３２が配設されている。このスルーゲート３２は、始動チャッカー２７を開閉動作させるための普通図柄抽選の契機となる遊技球通過が行われる役物である。
【００２７】
遊技領域３ａにおけるスルーゲート３２、入賞口２５，２６及び始動チャッカー２７等の周囲には、センター飾り２３のステージＳから零れた遊技球や、発射されてからステージＳに関与せずに落下してくる遊技球を適宜散らし、或いは入球に導くようにするための障害釘３３を含む多数の障害釘が打ち込まれている。
【００２８】
上記センター飾り２３は、その中央部に、遊技盤３側に固定された画像表示装置３５を露出する開口３６を有し、左上部にワープ導入口３７を有し、開口３６の下側に上記ステージＳを有し、該ステージＳの下側に、ステージＳ上で転動して該ステージＳの所定位置の落下孔（図示せず）に落下した遊技球を始動チャッカー２７に向け放出する放出口４９を有している。ワープ導入口３７に対向するように、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、ステージＳを介して入球させ又はステージＳを介さず直接入球させ得るように遊技が進められる。
【００２９】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３０】
ついで、本パチンコ機１の背面構造について図２を参照して説明する。同図は、本パチンコ機１の背面構造を示す背面図である。
【００３１】
すなわち、図２に示すように、パチンコ機１の前扉背面における上部左方には、賞球タンク４３が取り付けられており、この賞球タンク４３の下方に、副制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００３２】
次に、本実施形態におけるパチンコ機１の制御系を図４に沿って説明する。なお、同図は本パチンコ機１の制御系を示すブロック図である。
【００３３】
すなわち、本制御系は、遊技制御装置８０と、該遊技制御装置８０に電気的に接続された、始動チャッカー開閉ソレノイド６９、アタッカー開閉ソレノイド７０、放音装置（報知手段）１２、演出用照明装置（報知手段）８，１１、画像表示装置３５、フォトインタラプタ５８、及び異常検知回路６１を備えている。該フォトインタラプタ５８は、アタッカー５の蓋体５ａの遮光板（所定部材）５７の動作を検知する検知部を構成している。
【００３４】
遊技制御装置８０は、図２に示した主制御基板４０や副制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００３５】
遊技制御装置８０は、入賞判定手段８１、入賞信号出力手段８２、抽選手段８３、普通図柄抽選手段８５、遊技制御手段８６、保留手段８７、作動制御手段８８、演出制御手段９０、表示制御手段９１、及び異常検出手段９３を備えている。
【００３６】
入賞判定手段８１は、発射ハンドル２の操作で作動する発射装置（図示せず）によって遊技領域３ａに打ち出された遊技球が始動チャッカー２７、入賞口２５，２６、アタッカー５等の何れかに入賞したとき、当該入賞があった旨を判定する。
【００３７】
入賞信号出力手段８２は、入賞判定手段８１によって入賞が判定されたとき、対応する始動チャッカー２７、入賞口２５，２６、アタッカー５等に入賞した旨の入賞信号を出力する。
【００３８】
抽選手段８３は、入賞信号出力手段８２からの始動チャッカー２７に対応する入賞信号の入力時、最大保留球数（例えば４個）未満での入賞を契機として、乱数値を取得して大当たり抽選を実行する。そして抽選手段８３は、大当たり抽選で確率変動当たりに当選した場合には、不図示の演出用メモリに格納された演出乱数値に基づく抽選で、変動の結果、「３３３」や「７７７」等の図柄が画像表示装置３５の画面上の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００３９】
また抽選手段８３は、大当たり抽選で通常大当たりに当選した場合には、演出乱数値に基づく抽選で、変動の結果、「２２２」や「４４４」等の図柄が大当たり有効ライン上で最終的に揃う旨の変動パターンを決定し、その旨の変動パターン信号を出力する。更に抽選手段８３は、大当たり抽選で外れた場合には、演出乱数値に基づく抽選で、変動の結果、外れに対応する「２５８」や「１８６」等の図柄が大当たり有効ライン上で最終的に揃う旨の変動パターンを決定し、その旨の変動パターン信号を出力する。
【００４０】
普通図柄抽選手段８５は、始動チャッカー２７を開閉動作させるか否かの普通図柄抽選を、この普通図柄抽選の保留球数（例えば４個）の範囲内で、スルーゲート３２への入球を契機として実行する。
【００４１】
遊技制御手段８６は、放音装置１２、演出用照明装置８，１１に放音、発光駆動等の演出をさせる契機となる指令を演出制御手段９０に送る。更に、遊技制御手段８６は、予め設定された演出データや、抽選手段８３での抽選結果に応じて、画像表示装置３５の画面に表示すべき大当たり抽選に関連する演出内容に関する信号を表示制御手段９１に送る。
【００４２】
保留手段８７は、抽選手段８３から出力された変動パターン信号を入力し、変動パターンを、始動チャッカー２７への入賞の都度に行われた抽選の結果となる保留球として順次記憶する。当該記憶状況は、不図示の大当たり抽選保留表示装置に、最大４個の保留球となるように点灯表示される。保留手段８７は、保留球数が４個になっているか否かを常時判定し、保留球数が４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００４３】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が４個未満となった場合、抽選手段８３で行われる始動チャッカー２７への入賞に応答した大当たり抽選の結果を保留球として記憶し、保留球数を１インクリメントする。
【００４４】
作動制御手段８８は、所定のタイミングで始動チャッカー開閉ソレノイド６９に駆動信号を送って該ソレノイド６９を作動させ、始動チャッカー２７を開閉動作させる。また、作動制御手段８８は、所定のタイミングでアタッカー開閉ソレノイド７０に駆動信号を送り、アタッカー５を１５ラウンドだけ開閉動作させるように制御する。
【００４５】
演出制御手段９０は、遊技制御手段８６の指令に応答して、放音装置１２を放音駆動し、演出用照明装置８，１１を発光駆動して遊技者の聴覚や視覚に訴える演出を行う。
【００４６】
表示制御手段９１は、遊技制御手段８６からの信号に従って、画像表示装置３５を駆動し、大当たり抽選結果を中心とした内容等の演出を、遊技者の視覚に訴えるように演出表示する。その際、表示制御手段９１は、抽選手段８３による各抽選結果を、遊技制御手段８６からの信号に従って演出表示する。
【００４７】
異常検出手段９３は、アタッカー開閉ソレノイド７０に作動制御手段８８から駆動信号が出力されない状態でフォトインタラプタ５８が、蓋体５ａ開放の旨の検知信号を出力した場合、蓋体５ａが不正に開放された旨の報知信号を演出用照明装置８，１１及び放音装置１２に出力する。これにより、「アタッカーが開放しています！」等の音声を放音装置１２から発生させるとともに、演出用照明装置８，１１を発光（点滅や点灯）させることができる。また、異常検出手段９３は、フォトインタラプタ５８に結線される電気的接続ケーブルであるハーネスＨが切断、又は該ハーネスＨのコネクタソケットＣｏ１，Ｃｏ２が抜けたことが異常検知回路６１によって検知された場合、該検知信号の受信に基づき判断し、放音装置１２及び演出用照明装置８，１１に報知信号を送って音や光による報知を行わせるように制御する。これにより、「配線の接続状態が異常です！」等の音声とともに演出用照明装置８，１１を発光（点滅や点灯）させることができる。
【００４８】
ついで、本実施の形態におけるアタッカー５及びその周辺の構造を、図３を参照して説明する。
【００４９】
すなわち、上記アタッカー５は、所定の契機で蓋体５ａを開閉させるもので、遊技盤３の背面側に配置されたアタッカー開閉ソレノイド７０と、該ソレノイド７０のプランジャ７０ａの進退運動を蓋体５ａの開閉運動に変換する運動変換機構とを有している。該運動変換機構は、連結部材５５及びＬ字状リンク５６によって構成される。なお、蓋体５ａ及びアタッカー開閉ソレノイド７０、並びに、Ｌ字状リンク５６及びフォトインタラプタ５８等は、アタッカーユニット（図示せず）にそれぞれ装着された形で遊技盤３に取り付けられており、蓋体５ａ及びＬ字状リンク５６は、遊技盤３における始動チャッカー２７下方に形成された開口部（図示せず）内にて自在に回動するように構成される。
【００５０】
つまり、透明ガラス９後方に位置する遊技盤３には、上記開口部の内側にて開閉動作し得るように上記アタッカーユニットを介して蓋体５ａが配置されており、該蓋体５ａは、遊技領域３ａの正面から見た形状が遊技盤３の左右方向（図３の紙面手前−奥方向）にやや長い矩形状を呈し、上記開口部内で自在に回動し得るようにアタッカーユニットに軸部材６５で両端部を支持された形で遊技盤３側に支持される。蓋体５ａは、軸部材６５により下部側を回動自在に支持されると共に、該軸部材６５のやや後方（図３(a)の左方）の下部側にピン６６が固定されている。該ピン６６は、図３における紙面手前側のみに設けられている。
【００５１】
上記アタッカー開閉ソレノイド７０は、ソレノイド本体に対して進退自在なプランジャ７０ａを有し、該プランジャ７０ａの先端部には連結部材５５が取り付けられており、該連結部材５５の先端部には、係合切欠き５５ｂを有する連結部５５ａが設けられている。アタッカーユニットにおける連結部材５５の下方にはフォトインタラプタ５８が装着され、かつ連結部５５ａの下方には回動軸５４を介してＬ字状リンク５６が回動自在に支持されている。該Ｌ字状リンク５６は、一端部５６ａがピン６３を介して係合切欠き５５ｂに係合しており、他端部５６ｂがその二股部５６ｃの係合切欠き５６ｄを、蓋体５ａ下端部のピン６６に係合させている。アタッカー開閉ソレノイド７０は、同図の手前側に位置して係合切欠き５６ｄをピン６６に係合させているＬ字状リンク５６のピン６３に係合切欠き５５ｂを係合させ得るように、図３における紙面手前側に寄せて配置されている。
【００５２】
Ｌ字状リンク５６は、回動軸５４で回動自在に支持された折曲部の斜め後方（図３(a)の斜め左方）に延びるように形成された遮光板５７を一体に有している。
【００５３】
フォトインタラプタ５８は、遮光板５７をその左右方向（図３(a)の紙面手前−奥方向）から挟むことができるように配置された投受光部６０を有しており、該投受光部６０には、互いに対向して赤外光を投射する発光ダイオードＬＤ（図５参照）と受光するフォトトランジスタ（受光素子）Ｔ１（図５参照）とが設けられている。蓋体５ａが、上述のように無理に開放されようとして図３時計回り方向に力を受けた場合、その際はアタッカー開閉ソレノイド７０に作動制御手段８８からの駆動信号が出力されない状態である。従って、その状態で遮光板５７が発光ダイオード（発光素子）ＬＤ及びフォトトランジスタＴ１間を図３（ｂ）のように開放した場合、異常検出手段９３は、アタッカー開閉ソレノイド７０に駆動信号が出力されない状態でフォトインタラプタ５８が検知信号を出力したとして、蓋体５ａが不正に開放された旨の報知信号を出力する。
【００５４】
以上の構成を有する本パチンコ機１では、以下のように弾球遊技が行われる。即ち、対面して着座した遊技者が発射ハンドル２を握り、適宜の角度に回動操作すると（図８におけるステップＳ１）、発射装置の作動で遊技球が所定の時間間隔で遊技領域３ａに向けて連続的に発射される。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口（図示せず）から遊技盤３背面側に排出される。
【００５５】
遊技領域３ａに打ち出された遊技球の一部がワープ導入口３７に入球すると、その遊技球はステージＳ上に放出された後、該ステージＳの傾斜に沿って転動し、或るものはそのまま遊技領域３ａに落下し、或るものは放出口４９から始動チャッカー２７に向けて放出され、高い入賞確率（略１００％）で該チャッカー２７に入賞する。
【００５６】
ところで、始動チャッカー２７や入賞口２５，２６の何れかに遊技球が入賞した場合には、入賞判定手段８１が当該入賞を判定し、且つ入賞信号出力手段８２が入賞信号を出力する（ステップＳ２）。この際、保留手段８７は、保留している変動パターンに係る信号を、遊技制御手段８６を介して表示制御手段９１に順次送信し、変動パターン信号の送信に応じて保留球数を１デクリメントする。また保留手段８７は、当該保留球の消費に応じて、抽選手段８３で行われる始動チャッカー２７への入賞に応じた大当たり抽選の結果を保留球として記憶し、保留球数を１インクリメントする。
【００５７】
ステップＳ３において、大当たり抽選で当選した場合、抽選手段８３が当たりフラグをオンすると、演出用メモリに格納された演出乱数値に基づく抽選で、大当たりの種別、つまり確変当たりか通常当たり対応する変動パターンが決定される。
【００５８】
これにより、ステップＳ４において、画像表示装置３５に表示されるべき当たり図柄がセットされ、抽選手段８３は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、抽選手段８３は、その旨の変動パターン信号を出力すると共に、図柄変動禁止フラグをオンし、図柄変動タイマをセットし、変動パターン信号の送信に応じて保留球数を１デクリメントする。
【００５９】
以上のようにして、遊技制御手段８６が、画像表示装置３５に表示すべき演出内容に関する信号を、表示制御手段９１に送信することに基づき、表示制御手段９１は、画像表示装置３５を適時駆動し、大当たり抽選結果に関する内容等を、遊技者の視覚に訴えるように演出表示することとなる（ステップＳ５）。
【００６０】
そして、上記演出表示を視認しながら弾球遊技する中で、画像表示装置３５の画面上に表れた抽選結果が大当たり決定である場合、作動制御手段８８は、所定のタイミングでアタッカー開閉ソレノイド７０に駆動信号を送り、当該ソレノイド７０を作動させてアタッカー５を開放し、所定数入賞が終了する（又は所定時間が経過する）毎に閉塞する動作を所定ラウンドだけ繰り返させる。これにより、アタッカー５に入賞した遊技球に対応する多量の遊技球が、球供給口１７から皿ユニット１６に払い出されることとなる（ステップＳ６）。
【００６１】
ついで、図５を参照して、前述した異常検知回路６１について、より詳細に説明する。なお、図５では異常検知回路６１Ａについて説明し、後述の変形例１及び変形例２では異常検知回路６１Ｂ，６１Ｃについてそれぞれ説明するが、これら異常検知回路６１Ａ〜６１Ｃは、それぞれに上記異常検知回路６１を構成するものである。
【００６２】
すなわち、異常検知回路６１Ａは、図５に示すように、発光ダイオードＬＤ、フォトトランジスタＴ１及び抵抗Ｒ１からなるフォトインタラプタ５８を備えている。異常検知回路６１Ａは更に、pnpトランジスタＴ２、ベース・エミッタ間抵抗Ｒ２、及び入力電圧を電流に変換してpnpトランジスタＴ２を動作安定させるベース抵抗Ｒ３からなるスイッチング回路と、ツェナーダイオードＺＤとを有する電源供給部６７を備えている。
【００６３】
また、異常検知回路６１Ａは、npnトランジスタＴ３、入力側から入ってくるリーク電流やノイズ等をグランドGNDに落とすことで該トランジスタＴ３の誤動作を防ぐベース・エミッタ間抵抗Ｒ４、及び入力電圧を電流に変換して該トランジスタＴ３を動作安定させるベース抵抗Ｒ５からなるスイッチング部６８と、電源供給部６７とスイッチング部６８との間に挿入接続された分圧抵抗Ｒ６と、抵抗Ｒ７とを備えている。
【００６４】
異常検知回路６１Ａでは、電源供給部６７がラインＬ１を介してハーネスＨのコネクタソケットＣｏ１に結線され、スイッチング部６８がラインＬ６を介してハーネスＨのコネクタソケットＣｏ２に結線されている。また、ハーネスＨのコネクタソケットＣｏ２は、ラインＬ４を介してグランドGNDに接続されている。フォトインタラプタ５８は、ラインＬ２，Ｌ３，Ｌ５を介してハーネスＨのコネクタソケットＣｏ１に結線されている。該コネクタソケットＣｏ１及びコネクタソケットＣｏ２は、ハーネスＨを構成するケーブルｈ１，ｈ２，ｈ３によって接続されて一部品とされている。
【００６５】
電源供給部６７において、pnpトランジスタＴ２は、エミッタが直流電源（第１の電源）に接続され、コレクタが分圧抵抗Ｒ６の一方の端子に接続され、ベースがベース抵抗Ｒ３の一方の端子に接続されている。ベース・エミッタ間抵抗Ｒ２は、該ベース抵抗Ｒ３とpnpトランジスタＴ２のベースとの接続部（接続ノード）に一方の端子が接続され、かつ上記直流電源とpnpトランジスタＴ２のエミッタとの接続ノードに他方の端子が接続されている。ツェナーダイオードＺＤは、カソードが上記直流電源（例えば＋１２Ｖ）に接続され、かつアノードが、ラインＬ１におけるベース抵抗Ｒ３よりコネクタソケットＣｏ２側に接続されている。
【００６６】
スイッチング部６８において、npnトランジスタＴ３は、コレクタが分圧抵抗Ｒ６の他方の端子に接続され、エミッタがグランドGND（第２の電源）に接地され、ベースがベース抵抗Ｒ５の一方の端子に接続されている。ベース・エミッタ間抵抗Ｒ４は、該ベース抵抗Ｒ５とnpnトランジスタＴ３のベースとの接続ノードに一方の端子が接続され、かつ上記グランドGNDとnpnトランジスタＴ３のエミッタとの接続ノードに他方の端子が接続されている。
【００６７】
更に、分圧抵抗Ｒ６の他方の端子とnpnトランジスタＴ３のコレクタとの接続ノードには出力端子OUTが接続され、かつ該接続ノードと出力端子OUTとの間のラインとグランドGNDとの間に抵抗Ｒ７が挿入接続されてプルダウンされている。該抵抗Ｒ７は、pnpトランジスタＴ２及びnpnトランジスタＴ３の双方がオフとなった際に、電位をグランドGNDに落とすことで、電気的に浮いた状態となるフローティングの発生を回避するように機能する。
【００６８】
フォトインタラプタ（検知部）５８において、発光ダイオードＬＤは、アノードがラインＬ２を介してコネクタソケットＣｏ１に接続され、かつカソードが抵抗Ｒ１及びラインＬ３を介してコネクタソケットＣｏ１に接続されている。フォトトランジスタＴ１は、発光ダイオードＬＤと所定の間隔（遮光板５７が進退可能な間隔）をあけた状態で配置されており、コレクタがラインＬ５を介してラインＬ２に接続され、エミッタがコネクタソケットＣｏ１に接続されている。これら発光ダイオードＬＤ及びフォトトランジスタＴ１により、上述の投受光部６０が構成されている。
【００６９】
このようなフォトインタラプタ５８は即ち、断線等の異常が発生しない通常状態にて常時電源を供給されて待機しつつ、遮光板（所定部材）５７の動作に伴って第１状態（本実施形態では遮光状態）と第２状態（本実施形態では受光状態）とに変化することに基づき、第１状態にあっては遮光板５７が通常位置（本実施形態では蓋体５ａの閉止位置）にある旨を検知し、かつ第２状態にあっては遮光板５７が移動位置（本実施形態では蓋体５ａの開放位置）にある旨を検知するように構成されている。
【００７０】
なお、本実施の形態では、pnpトランジスタＴ２の動作をより安定させるため、電源供給部６７にて、直流電源（例えば＋１２Ｖ）とラインＬ１との間に上記ツェナーダイオードＺＤを挿入接続しているが、該ツェナーダイオードＺＤは必ずしも必須なものではなく、該ツェナーダイオードＺＤに代えて通常の抵抗を挿入接続するような構成によっても、略々同様に動作させることが可能である。
【００７１】
以上の構成を備える異常検知回路６１Ａでは、パチンコ機１に備えた主電源（図示せず）がオンされると、直流電源からツェナーダイオードＺＤを介して所定電位に低減された逆方向電流がラインＬ１に流れ、該電流がケーブルｈ１及びラインＬ２を介して発光ダイオードＬＤ、抵抗Ｒ１の順に矢印ａ，ｂ方向に流れ、更に、ラインＬ３からケーブルｈ３を経由して、ラインＬ４を矢印ｃ方向に流れ、グランドGNDに落ちる。これにより、発光ダイオードＬＤが発光し、フォトトランジスタＴ１のベースに向けて赤外光が投射される。この状態は、主電源がオンされてパチンコ機１が遊技に供されている間中、継続される。
【００７２】
即ち、上記異常検知回路６１Ａは、ハーネス（電気的接続ケーブル）Ｈによる接続状態が正常である場合には、フォトインタラプタ５８に電源供給を行いつつ、該フォトインタラプタ５８が上記第１状態のときは出力端子OUTに第１信号（本実施形態では１（HIGH））を出力し、かつフォトインタラプタ５８が上記第２状態のときは出力端子OUTに第２信号（本実施形態では０（LOW））を出力し、更に、ハーネスＨによる接続状態が異常である場合には、フォトインタラプタ５８に電源供給を行わない状態にて出力端子OUTに上記第２信号を出力するように構成される。
【００７３】
ここで、図３（ａ）のようにアタッカー５の蓋体５ａが閉止している通常位置にあっては、遮光板５７が発光ダイオードＬＤとフォトトランジスタＴ１との間に進入して遮光することにより、フォトトランジスタＴ１がオフされるため、npnトランジスタＴ３はベースに信号（ベース電流）を受けることなくオフしている。この際、npnトランジスタＴ３と導電型の異なるpnpトランジスタＴ２は、直流電源からの電流がツェナーダイオードＺＤ及びラインＬ１を介して矢印ａ方向に流れていることにより、ベースが該ラインＬ１に比して低い電位（LOW）になることでオンされている。これにより、直流電源からエミッタ・コレクタ間電流が流れるが、npnトランジスタＴ３がオフしていることで、該電流は分圧抵抗Ｒ６を経由して出力端子OUT側に流れ、出力される。このため、第１状態（本実施形態では遮光状態、通常時）にあっては、高電位の１（HIGH）が出力されて異常検出手段９３にて受信され、異常検出に用いられる。この場合、異常検出手段９３は、作動制御手段８８から駆動信号が出力されない状態で、高電位の１（HIGH）が出力されたことから、異常状態は発生していないと判断する。
【００７４】
一方、作動制御手段８８の駆動信号を受けてアタッカー開閉ソレノイド７０が作動し、プランジャ７０ａの後退によりＬ字状リンク５６が回動軸５４を中心として図３（ａ）の反時計回り方向に回動することで蓋体５ａが開放され、かつ遮光板５７が投受光部６０から移動することで、フォトトランジスタＴ１が発光ダイオードＬＤからの赤外光を受光する。これにより、フォトトランジスタＴ１がオンされるため、ラインＬ２を流れる直流電源からの電流がコレクタに流れ込み、内部の電流路を通ってエミッタから矢印ｄ方向に流れ、更に、ケーブルｈ２及びラインＬ６を経由して矢印ｅ方向に流れ、ベース抵抗Ｒ５を介してnpnトランジスタＴ３のベースに信号（ベース電流）が印加される。これにより、npnトランジスタＴ３は、ベースが高電位（HIGH）になることで、pnpトランジスタＴ２及び分圧抵抗Ｒ６を介して流れる電流を吸い込むようにオンするため、該電流は、内部の電流路を通ってエミッタからグランドGNDに落ちる。従って、アタッカー５が開放する第２状態（本実施形態では受光状態、イベント時）にあっては、出力端子OUTは０（LOW）となり、異常検出手段９３にて受信されて異常検出に用いられる。この場合、異常検出手段９３は、作動制御手段８８から駆動信号が出力された状態で、低電位の０（LOW）が出力されたことから、異常状態は発生していないと判断する。
【００７５】
ここで例えば、不正行為者（所謂ゴト師）が、アタッカー５を不正に開放して賞球を得ようとハーネスＨを切断し、或いはコネクタソケットＣｏ２やコネクタソケットＣｏ１を抜いて断線（異常状態）させた場合は、ラインＬ１，Ｌ６，Ｌ４がオープン状態になるため、直流電源からツェナーダイオードＺＤを介して矢印ａに電流が流れないことで、pnpトランジスタＴ２のベースが高電位になり、該pnpトランジスタＴ２がオフされる。この際、ベースに高電位の信号が印加されずnpnトランジスタＴ３がオフしているため、出力端子OUTは０（LOW）となり、該出力が異常検出手段９３にて受信される。この場合、異常検出手段９３は、作動制御手段８８から駆動信号が出力されていない状態で、低電位の０（LOW）が出力されたことから、異常状態が発生したと判断し、演出用照明装置８，１１及び放音装置１２に報知信号を送って報知を行わせるように制御する。
【００７６】
ここで、図９を参照して、本実施の形態における異常検知回路６１Ａの基礎技術の回路９２について説明する。
【００７７】
すなわち、同図に示すように、回路９２は、異常検知回路６１Ａにおけるスイッチング部６８と同様の回路部は備えているが、異常検知回路６１Ａのような電源供給部６７を有さず、従って、図５の抵抗Ｒ７に相当するものを備えてはいない。このため、回路９２では、パチンコ機１の主電源（図示せず）がオンされると、直流電源（例えば＋１２Ｖ）から抵抗Ｒ１８を介して電流がラインＬ１に流れ、該電流がケーブルｈ１及びラインＬ２を介して発光ダイオードＬＤ、抵抗Ｒ１の順に矢印ａ，ｂ方向に流れ、更に、ラインＬ３からケーブルｈ３を経由して、ラインＬ４を矢印ｃ方向に流れ、グランドGNDに落ちる。このため、発光ダイオードＬＤが、異常検知回路６１Ａと同様に、フォトトランジスタＴ１のベースに赤外光を投射する。
【００７８】
この際、アタッカー５が閉止していれば、発光ダイオードＬＤ及びフォトトランジスタＴ１間が遮光されてフォトトランジスタＴ１がオフされるため、npnトランジスタＴ５は、抵抗Ｒ１３を介してベースに信号を受けることなくオフしている。ここで、直流電源から分圧抵抗Ｒ１１を介して電流が流れるが、npnトランジスタＴ５がオフしていることで、該電流は分圧抵抗Ｒ１１を経由して出力端子OUT側に流れ、出力される。なお、図中の符号Ｒ１２は、異常検知回路６１Ａにおけるベース・エミッタ間抵抗Ｒ４と同様のベース・エミッタ間抵抗である。
【００７９】
一方、作動制御手段８８の駆動信号に応答してアタッカー５が開放されれば、遮光板５７が投受光部６０から移動することで、フォトトランジスタＴ１が発光ダイオードＬＤからの赤外光を受光してオンするため、ラインＬ２を流れる電流がコレクタに流れ込み、エミッタから矢印ｄ方向に流れ、ケーブルｈ２及びラインＬ６を経由して矢印ｅ方向に流れ、ベース抵抗Ｒ１３を介してnpnトランジスタＴ５のベースに信号として印加され、該npnトランジスタＴ５がオンとなり、分圧抵抗Ｒ１１を介して流れる電流が、内部の電流路を通ってエミッタからグランドGNDに落ちる。このため、アタッカー５が開放する受光時（イベント時）には、出力端子OUTは０（LOW）となる。
【００８０】
ここまでの動作は異常検知回路６１Ａの場合と同様であるが、例えば不正行為者が、アタッカー５を不正に開放して賞球を得ようとハーネスＨを切断したり、コネクタソケットＣｏ２やコネクタソケットＣｏ１を抜いて断線させた際には、回路９２にあっては、ラインＬ１，Ｌ６，Ｌ４がオープン状態になることで、npnトランジスタＴ５はオフされると共に、直流電源からの電流が分圧抵抗Ｒ１１を介して出力端子OUTに出力され、該出力端子OUTは１（HIGH）となる。つまり、異常時には１（HIGH）が出力される。
【００８１】
このように、図９に示す回路９２は、通常状態にて常時電源を供給されて待機している状態にあっては、異常検知回路６１Ａと同様にフォトインタラプタ５８により蓋体５ａ（即ち遮光板５７）の動作を検知することはできるが、異常時にも、遮光時（通常時）と同じ１（HIGH）を出力する。例えば不正行為者は、まず、図３（ａ）に示す閉止状態にてハーネスＨを切断し（又はコネクタソケットＣｏ１，Ｃｏ２を抜き）、フォトインタラプタ５８が蓋体５ａの開放を検知できない状態にしてから、蓋体５ａを不正に開放して不正賞球させるように不正行為を働く。従って、異常時にも、遮光時（通常時）と同じ１（HIGH）を出力するのでは、蓋体５ａを不正に開放する不正行為を検知することは難しい。
【００８２】
これに対し、本実施の形態では、フォトインタラプタ５８が、通常状態にて常時電源を供給されて待機しつつ、遮光板５７の動作に伴って第１状態と第２状態とに変化することに基づき、第１状態にあっては遮光板５７が通常位置にある旨を検知し、かつ第２状態にあっては遮光板５７が移動位置にある旨を検知し、また異常検知回路６１Ａが、ハーネスＨによる接続状態が正常である場合には、フォトインタラプタ５８に電源供給を行いつつ、該フォトインタラプタ５８が第１状態のときは出力端子OUTに１（HIGH、第１信号）を出力し、かつフォトインタラプタ５８が第２状態のときは出力端子OUTに０（LOW、第２信号）を出力し、更に、ハーネスＨによる接続状態が異常である場合には、フォトインタラプタ５８に電源供給を行わない状態にて出力端子OUTに０（LOW、第２信号）を出力するように構成される。このため、異常時には、受光時（イベント時）と同じ０（LOW）を出力することができるので、蓋体５ａを不正に開放する不正行為を検知することが容易になる。そして、異常検知回路６１Ａでは、フォトインタラプタ５８の異常を検出し得るものでありながら、本来必要な既設部品やその通常の電源供給状態を利用することにより、部品点数を増大させず、装置構成を可及的に簡素にしてコンパクト化を実現することができる。
【００８３】
また、本実施形態では、異常検出手段９３が、異常検知回路６１Ａから出力される第１信号及び第２信号の何れかを受信し、遮光板５７を動作させる駆動信号の出力の有無と併せて判断して、異常が発生したと判断した際には報知信号を出力し、かつ駆動信号が出力されない状態で第２の信号が出力された場合に異常が発生したと判断し、演出用照明装置８，１１及び放音装置１２に報知信号を送るので、ハーネスＨによる接続状態の異常を、より一層確実に判定することができると共に、異常が発生した旨を演出用照明装置８，１１及び放音装置１２を介して周囲に報知することができる。このため、不正行為者を牽制して、不正行為を抑止することができる。
【００８４】
次に、図６を参照して、オープンコレクタを用いた変形例１について説明する。なお、図６では、図５で説明した実施形態と共通の部分に同一符号を付して、その説明を省略する。
【００８５】
すなわち、図６に示すように、本変形例１の異常検知回路６１Ｂでは、電源供給部６７は図５と同じ構成であるが、図５のスイッチング部６８に相当する部分は無く、また、フォトトランジスタＴ１のエミッタは、ケーブルｈ３及びラインＬ８を介して、抵抗Ｒ９の一方の端子とグランドGNDとの接続ノードに接続されている。該抵抗Ｒ９の他方の端子は、pnpトランジスタＴ２のコレクタに一方の端子を接続された抵抗Ｒ８の他方の端子と出力端子OUTとの接続ノードに接続されている。更に、フォトトランジスタＴ１のコレクタは、ラインＬ７、ケーブルｈ２及びラインＬ９を介して抵抗Ｒ８の他方の端子に接続された形で出力端子OUTに接続されている。
【００８６】
以上の構成を備える異常検知回路６１Ｂでは、パチンコ機１の主電源（図示せず）がオンされると、直流電源（例えば＋１２Ｖ）からツェナーダイオードＺＤを介して電流がラインＬ１に流れ、該電流がケーブルｈ１及びラインＬ２を介して発光ダイオードＬＤ、抵抗Ｒ１の順に矢印ａ，ｂ方向に流れ、ラインＬ３からケーブルｈ３を経由して、ラインＬ８を矢印ｉ方向に流れ、グランドGNDに落ちる。このため、発光ダイオードＬＤが、異常検知回路６１Ａと同様に、フォトトランジスタＴ１のベースに赤外光を投射する。
【００８７】
この際、アタッカー５が閉止していれば、発光ダイオードＬＤ及びフォトトランジスタＴ１間が遮光されてフォトトランジスタＴ１がオフされており、図５の場合と同様にオンしているpnpトランジスタＴ２のコレクタから抵抗Ｒ８を介して出力端子OUTに１（HIGH）が出力される。一方、作動制御手段８８の駆動信号に応答してアタッカー５が開放されれば、遮光板５７が投受光部６０から移動することで、フォトトランジスタＴ１が発光ダイオードＬＤからの赤外光を受光してオンするため、抵抗Ｒ８を経由して出力端子OUT側に流れていた電流がラインＬ９側に流れ、ケーブルｈ２及びラインＬ７を矢印ｆ方向に流れてフォトトランジスタＴ１のコレクタに流入し、エミッタから矢印ｇ方向に流れ、ケーブルｈ３及びラインＬ８を介してグランドGNDに落ちる。このため、アタッカー５が開放する受光時（イベント時）には、出力端子OUTは０（LOW）となる。
【００８８】
また、例えば不正行為者が、アタッカー５を不正に開放して賞球を得ようとハーネスHを切断したり、コネクタソケットＣｏ２やコネクタソケットＣｏ１を抜いて断線させた際には、異常検知回路６１Ｂにあっては、ラインＬ１，Ｌ６，Ｌ４がオープン状態になることで、ベースが高電位になったpnpトランジスタＴ２はオフされるため、出力端子OUTは０（LOW）となる。
【００８９】
このように、本変形例１においても、異常時には受光時（イベント時）と同じ０（LOW）を出力できるので、不正行為を検知することが容易になると共に、前述の実施形態と同様の効果を奏することができる。
【００９０】
引き続き、図７を参照して、コンパレータ等を用いた変形例２について説明する。
【００９１】
すなわち、図７に示すように、本変形例２の異常検知回路６１Ｃでは、フォトインタラプタ５８及びハーネスＨの構成は図５の場合と同様であるが、電源供給部６７及びスイッチング部６８は無く、出力端子が出力端子OUT1と出力端子OUT2とに分けられて２ビット出力化されている。該出力端子（第１出力端子）OUT1は、ハーネスＨによる接続状態の異常（例えば断線）に起因する検知結果を専ら出力するものであり、出力端子（第２出力端子）OUT2は、フォトインタラプタ（検知部）５８の第１状態（実施の形態では遮光状態）及び第２状態（実施の形態では受光状態）に起因する検知結果を専ら出力するものである。
【００９２】
そして、出力端子OUT1側では、直流電源（例えば＋１２Ｖ）とラインＬ１とが抵抗Ｒ１４を介して接続され、また、該直流電源とグランドGNDとが抵抗Ｒ１５及び抵抗Ｒ１６を介して接続され、更に、これら抵抗Ｒ１５と抵抗Ｒ１６の接続ノードにはコンパレータ７１の非反転入力端子（＋）が接続され、ラインＬ１と抵抗Ｒ１４との接続ノードには該コンパレータ７１の反転入力端子（−）が接続されている。また、出力端子OUT2側では、ラインＬ６に、npnトランジスタＴ４のベースが接続され、該npnトランジスタＴ４のコレクタに、一方の端子を直流電源（例えば＋５Ｖ）に接続されたプルアップ抵抗Ｒ１７の他方の端子が接続されている。該npnトランジスタＴ４のエミッタは、グランドGNDに接続されている。更に、npnトランジスタＴ４のコレクタとプルアップ抵抗Ｒ１７との接続ノードに出力端子OUT2が接続されている。
【００９３】
以上の構成を備える異常検知回路６１Ｃでは、直流電源（例えば＋１２Ｖ）から抵抗Ｒ１４を介して電流がラインＬ１に流れ、該電流が図５の場合と同様に発光ダイオードＬＤ側に流れ、ラインＬ４を経由してグランドGNDに落ちる。このため、発光ダイオードＬＤが、異常検知回路６１Ａと同様に、フォトトランジスタＴ１のベースに赤外光を投射する。
【００９４】
この際、アタッカー５が閉止していると、発光ダイオードＬＤ及びフォトトランジスタＴ１間が遮光されてフォトトランジスタＴ１がオフされるため、npnトランジスタＴ４はベースが低電位にされてオフされ、これにより、直流電源（例えば＋５Ｖ）からプルアップ抵抗Ｒ１７を介して出力端子OUT2に１（HIGH）が出力される。従って、アタッカー５が閉止している遮光時（通常時）には、出力端子OUT1は１（HIGH）となる。この際、出力端子OUT1側では、直流電源（例えば＋１２Ｖ）から抵抗Ｒ１５を介して抵抗Ｒ１６との接続ノードから分圧される信号がコンパレータ７１の非反転入力端子（＋）に印加されるが、このとき反転入力端子（−）側は、直流電源（例えば＋１２Ｖ）から抵抗Ｒ１４、ラインＬ１を経由して発光ダイオードＬＤ側に電流が流れていることで、非反転入力端子（＋）側より低電位になるため、出力端子OUT1には１（HIGH）が出力される。つまり、アタッカー５が閉止している遮光時（通常時）には、出力端子OUT1も１（HIGH）となる。
【００９５】
一方、作動制御手段８８の駆動信号に応答してアタッカー５が開放されると、フォトトランジスタＴ１が発光ダイオードＬＤからの赤外光を受光してオンするため、エミッタから矢印ｄ方向に流れ出す電流が信号となってラインＬ６を経由してnpnトランジスタＴ４のベースに印加されるため、該npnトランジスタＴ４がオンとなり、出力端子OUT2に流れていた電流がコレクタからエミッタを介してグランドGNDに流れることになる。このため、アタッカー５が開放する受光時（イベント時）には、出力端子OUT2は０（LOW）となる。この際、出力端子OUT1側は、上記遮光時（通常時）と同様に１（HIGH）となる。
【００９６】
また、例えば不正行為者が、アタッカー５を不正に開放して賞球を得ようとハーネスHを切断したり、コネクタソケットＣｏ２やコネクタソケットＣｏ１を抜いて断線させた場合、異常検知回路６１Ｃにあっては、ラインＬ１，Ｌ６，Ｌ４がオープン状態になることで、npnトランジスタＴ４はベースが低電位になってオフとなり、従って、直流電源（例えば＋５Ｖ）からプルアップ抵抗Ｒ１７を介して出力端子OUT2に、上記遮光時（通常時）と同じに１（HIGH）が出力される。
【００９７】
しかしこの際、出力端子OUT1側では、直流電源（例えば＋１２Ｖ）から抵抗Ｒ１５を介して抵抗Ｒ１６との接続ノードから分圧される信号がコンパレータ７１の非反転入力端子（＋）に印加された状態において、反転入力端子（−）側には、直流電源（例えば＋１２Ｖ）から抵抗Ｒ１４を経由した、非反転入力端子（＋）側と同等の電位の信号が印加されるため、出力端子OUT1には０（LOW）が出力されることになる。
【００９８】
このように、本変形例２にあっては、異常時には、出力端子OUT2は遮光時（通常時）と同じ１（HIGH）となるが、出力端子OUT1が受光時（イベント時）と同じ０（LOW）を確実に出力するので、作動制御手段８８による判断を待たずに異常状態の発生を直ちに特定することができる。従って、前述の実施形態と略々同様の効果を奏するものでありながら、より迅速な制御の実現が可能になる。
【００９９】
なお、図５及び図６における電源供給部６７の、pnpトランジスタＴ２、ベース・エミッタ間抵抗Ｒ２及びベース抵抗Ｒ３を、１個のデジタルトランジスタによって構成することもでき、その場合、回路構成をより簡素化することができる。
【０１００】
また、図５〜図７における実施の形態及び変形例１，２では、トランジスタとして全てバイポーラトランジスタを使用したが、これに限らず、ユニポーラトランジスタ(MOS-FET)を使用することによっても、同様の動作を行う異常検知回路を構成することができる。また、上記実施の形態及び変形例１，２における論理（出力のHIGH、LOW）を逆にした回路構成とすることも可能であり、その場合も、同様の効果を奏することができる。
【０１０１】
更に、図５〜図７における実施の形態及び変形例１，２では、本発明に係る所定部材としてアタッカー５の遮光板５７を例に挙げて説明したが、本発明の所定部材はこれに限らず、始動チャッカー２７や不図示の可動演出装置など、動作前の通常位置と動作後の移動位置の双方を検知されるべき部材に適用され得ることは勿論である。
【０１０２】
以上、本発明をその好適な実施の形態及び変形例に基づいて説明したが、本発明の遊技機は、上記実施形態及び変形例の構成にのみ限定されるものではなく、上記実施形態及び変形例の構成から種々の修正及び変更を施した遊技機も、本発明の範囲に含まれる。
【産業上の利用可能性】
【０１０３】
本発明に係る遊技機は、パチンコ機、スロットマシン、雀球遊技機、アレンジボール遊技機、回胴式パチンコ遊技機機等に用いることが可能であり、特に検知部により所定部材の動作を検知する構成を備えるものに用いて好適である。
【符号の説明】
【０１０４】
１    遊技機（パチンコ機）
８，１１，１２    報知手段（演出用照明装置、放音装置）
５７    所定部材（遮光板）
５８    検知部（フォトインタラプタ）
６１，６１Ａ，６１Ｂ，６１Ｃ    異常検知回路
９３    異常検出手段
H    電気的接続ケーブル（ハーネス）
OUT    出力端子
OUT1    第１出力端子（出力端子）
OUT2    第２出力端子（出力端子）
【図１】
2010167046.tif 000003
【図２】
2010167046.tif 000004
【図３】
2010167046.tif 000005
【図４】
2010167046.tif 000006
【図５】
2010167046.tif 000007
【図６】
2010167046.tif 000008
【図７】
2010167046.tif 000009
【図８】
2010167046.tif 000010
【図９】
2010167046.tif 000011